(57)【特許請求の範囲】
【請求項１】
振動板を取り囲むエッジは、前記振動板の振動の一方向に対して凹となる凹部と、前記一方向に対して凸となる凸部とを有し、
少なくとも前記エッジの一部は、連続的な第１の切替形状と第２の切替形状とを有し、
前記第１の切替形状は、前記凹部の断面形状の長さが徐々に小さくなるとともに前記凸部の断面形状の長さが徐々に大きくなるようにして、前記凹部と前記凸部とが切り替わる形状であり、
前記第２の切替形状は、前記凹部の断面形状の長さが徐々に大きくなるとともに前記凸部の断面形状の長さが徐々に小さくなるようにして、前記凹部と前記凸部とが切り替わる形状であり、
前記凸部の表面に当接するリブが設けられ、
前記リブは、前記第１の切替形状と前記第２の切替形状の境の近傍において前記凸部および前記エッジの外周縁部に当接する
振動板のエッジ構造。
【請求項２】
前記凹部および前記凸部は、それぞれロール形状をなす
請求項１に記載の振動板のエッジ構造。
【請求項３】
前記エッジは、対向する第１の辺部と第２の辺部とを有し、
少なくとも、前記第１の辺部は、前記第１の切替形状および前記第２の切替形状を有する
請求項１または２に記載の振動板のエッジ構造。
【請求項４】
前記第１の辺部の中央付近において前記凸部の断面形状の長さが最大となるようにして、前記第１の辺部は、前記第１の切替形状および前記第２の切替形状を有する
請求項３に記載の振動板のエッジ構造。
【請求項５】
前記第２の辺部は、前記第１の切替形状が形成された位置と略対向する位置に第１の切替形状を有し、前記第２の切替形状が形成された位置と略対向する位置に第２の切替形状を有する
請求項３または４に記載の振動板のエッジ構造。
【請求項６】
前記エッジは、略トラック形状をなす
請求項３から５のいずれか一つに記載の振動板のエッジ構造。
【請求項７】
前記凸部と本体部の中央付近との間に溝部を有し、
前記リブは、溝部を架け渡すようにして形成された形状を有する
請求項１から６のいずれか一つに記載の振動板のエッジ構造。
【発明の詳細な説明】
【技術分野】
【０００１】
本開示は、振動板のエッジ構造に関する。
【背景技術】
【０００２】
低音を増強するために、スピーカユニットに加えてパッシブラジエータを備えたスピーカシステムが知られている。下記特許文献１には、錘を有するパッシブラジエータの構造が記載されている。
【先行技術文献】
【特許文献】
【０００３】
【特許文献１】特許第４８２７９４８号公報
【発明の概要】
【発明が解決しようとする課題】
【０００４】
パッシブラジエータにおいては、小さい容積で十分な低音再生を実現するために錘の重量を大きく設定する必要がある。しかしながら、その結果としてローリングと呼ばれる不要な振動が誘発され、これにより異常音が発生するおそれがある、という問題があった。【０００５】
したがって、本開示は、不要な振動を抑制し、ローリングに起因する異常音を防止する振動板のエッジ構造を提供することを目的の一つとする。
【課題を解決するための手段】
【０００６】
上述した課題を解決するために、本開示は、例えば、
振動板を取り囲むエッジは、振動板の振動の一方向に対して凹となる凹部と、一方向に対して凸となる凸部とを有し、
少なくともエッジの一部は、連続的な第１の切替形状と第２の切替形状とを有し、
第１の切替形状は、凹部の断面形状の長さが徐々に小さくなるとともに凸部の断面形状の長さが徐々に大きくなるようにして、凹部と凸部とが切り替わる形状であり、
第２の切替形状は、凹部の断面形状の長さが徐々に大きくなるとともに凸部の断面形状の長さが徐々に小さくなるようにして、凹部と凸部とが切り替わる形状であり、
凸部の表面に当接するリブが設けられ、
リブは、第１の切替形状と第２の切替形状の境の近傍において凸部およびエッジの外周縁部に当接する
振動板のエッジ構造である。
【発明の効果】
【０００７】
少なくとも一つの実施形態によれば、パッシブラジエータの不要な振動を抑制し、ローリングに起因する異常音を防止できる。なお、ここに記載された効果は必ずしも限定されるものではなく、本開示中に記載されたいずれの効果であってもよい。また、以下の説明における例示された効果により本開示の内容が限定して解釈されるものではない。
【図面の簡単な説明】
【０００８】
【図１】図１は、スピーカシステムの構成の一例を示す正面図である。
【図２】図２は、スピーカシステムの構成の一例を示す斜視図である。
【図３】図３は、一般的なパッシブラジエータの構成を説明するための斜視図である。
【図４】図４は、一般的なパッシブラジエータの断面構造を説明するための斜視図である。
【図５】図５は、第１の実施形態におけるパッシブラジエータの本体部の構成の一例を説明するための図である。
【図６】図６は、第１の実施形態におけるパッシブラジエータの構成の一例を説明するための図である。
【図７】図７は、第１の実施形態におけるパッシブラジエータの本体部に対する切断位置を説明するための図である。
【図８】図８は、Ａ−Ａにおける断面形状を説明するための断面図である。
【図９】図９は、Ａ−Ａにおける断面形状を説明するための斜視図である。
【図１０】図１０は、Ｂ−Ｂにおける断面形状を説明するための断面図である。
【図１１】図１１は、Ｂ−Ｂにおける断面形状を説明するための斜視図である。
【図１２】図１２は、Ｃ−Ｃにおける断面形状を説明するための断面図である。
【図１３】図１３は、Ｃ−Ｃにおける断面形状を説明するための斜視図である。
【図１４】図１４は、第２の実施形態におけるパッシブラジエータの本体部の構成の一例を説明するための図である。
【図１５】図１５は、Ｄ−Ｄにおける断面形状を説明するための断面図である。
【図１６】図１６は、Ｄ−Ｄにおける断面形状を説明するための斜視図である。
【図１７】図１７Ａ、図１７Ｂおよび図１７Ｃは、本開示の実施形態による効果の一例を説明するための図である。
【発明を実施するための形態】
【０００９】
以下、本開示の複数の実施形態について図面を参照しながら説明する。なお、説明は以下の順序で行う。
＜１．第１の実施形態＞
＜２．第２の実施形態＞
＜３．変形例＞
以下に説明する実施形態等は本開示の好適な具体例であり、本開示の内容がこれらの実施形態等に限定されるものではない。
なお、以下の説明において、説明の便宜を考慮して前後左右、表裏等の方向を規定する表現を使用するが、本開示の内容がこれらの方向に限定されるものではない。
【００１０】
＜１．第１の実施形態＞
「スピーカシステムの外観」
図１は、スピーカシステムの外観の一例を示す正面図であり、図２は、スピーカシステムの外観の一例を示す斜視図である。スピーカシステム１は、略直方体のキャビネット１０を有する。キャビネット１０は、ユーザに対して向けられる前面１０ａと前面１０ａの反対の背面１０ｂとを有する。
【００１１】
キャビネット１０の前面１０ａの略中央には、例えば、低域を再生するスピーカユニット（サブウーハーとも称される）２０が設けられている。スピーカユニット２０の両端における上部寄りに、中高域を再生するスピーカユニット３０およびスピーカユニット４０がそれぞれ設けられている。スピーカユニット３０およびスピーカユニット４０の裏側は、例えば、キャビネット１０内において所定の密閉構造により密閉されている。
【００１２】
スピーカユニット３０の下側には、パッシブラジエータ５０が設けられ、スピーカユニット４０の下側にはパッシブラジエータ６０が設けられている。このように、本実施形態では、スピーカシステム１は、全体として２．１チャンネルの再生システムを構成している。もちろん、本開示は、２．１チャンネルのスピーカシステムに限定されることはなく、他の再生システムに対しても適用することができる。なお、各スピーカユニットが設けられる位置やパッシブラジエータが設けられる位置は、適宜、変更することができる。また、キャビネット１０の前面側にスピーカネット等が取り付けられていてもよい。
【００１３】
なお、スピーカシステム１の上下方向（前面１０ａに略平行な方向）を鉛直方向と、スピーカシステム１の前後方向（前面１０ａに略直交する方向）を水平方向と、適宜、称する。
【００１４】
スピーカシステム１の動作について概略的に説明する。各スピーカユニットに対してオーディオ信号が供給されると、各スピーカユニットの振動板が振動し音が発生する。また、スピーカユニット２０が振動することにより発生した音圧がキャビネット１０内に放射され、この音圧によりパッシブラジエータ５０およびパッシブラジエータ６０が水平方向に振動し、低域の音が発生する。パッシブラジエータ５０およびパッシブラジエータ６０は、正方向（キャビネット１０の内部側とは反対側）への振動と、負方向（キャビネット１０の内部側）への振動を繰り返す。
【００１５】
各スピーカユニットおよび各パッシブラジエータにより発生された音がユーザに対して再生される。音は、人の声や音楽など、人の耳によって聴取し得るものであればよい。
【００１６】
「一般的なパッシブラジエータの構成」
ここで、本開示の理解を容易とするために、一般的なパッシブラジエータの構成について説明する。パッシブラジエータは、パッシブラジエータの本体部を有する。
【００１７】
図３は、一般的なパッシブラジエータの本体部を示す斜視図である。なお、図３では、形状の理解を容易とするために２点鎖線による想像線を記載している。他の図についても同様である。
【００１８】
本体部１００は、例えば、全体として略トラック形状をなし、略中央に形成された平坦部１０１と、平坦部１０１の周囲に形成された略トラック形状のエッジ１０２と、エッジ１０２の周囲に形成された略トラック形状の外周縁部１０３とを含む構成を有する。なお、トラック形状とは、矩形における対向する２辺を半円状に置換した形状であり、陸上競技場のトラックのような形状である。
【００１９】
平坦部１０１の裏面（キャビネットの内部側）に対して、図示しない振動板が取り付けられている。振動板の裏面には、振動板を含む駆動系の質量を一定にするための錘が取り付けられている。外周縁部１０３が図示しないフレームに対して取り付けられ、フレームを介してパッシブラジエータがキャビネットに取り付けられる。
【００２０】
図４は、本体部１００を、長手方向の中央付近で切断した断面図を示す。図示するように、エッジ１０２の断面は略半円状をなしている。すなわち、一般的なパッシブラジエータにおけるエッジは、一方向（例えば、キャビネット内部側とは反対側）に凸となるロール形状をなしている。
【００２１】
上述したように、振動板が水平方向に振動せず、水平方向に対して斜め方向に振動するローリングが生じ、これにより異常音が発生するおそれがある。特に、また、耐入力の低下が生じるおそれがある。また、斜め方向等への振動や回転により、パッシブラジエータと周囲の構造とが接触し、異常音の発生や構造の損傷等が生じるおそれがある。このような問題に鑑みてなされた、本開示のパッシブラジエータの一例について説明する。
【００２２】
「第１の実施形態におけるパッシブラジエータの構成」
図５は、第１の実施形態におけるパッシブラジエータの本体部の構成の一例を示す正面図である。なお、パッシブラジエータ５０について説明するが、パッシブラジエータ６０についても同様の構成を有する。
【００２３】
本体部２０１は、イソブチエン・イソプレンゴム（ＩＩＲ）、アクリロニトリル・ブタジエンゴム（ＮＢＲ）等の加硫ゴムや無硫化ゴムを用いて形成される。本体部２０１の外周縁には、例えば、長手方向において対向する辺部を有するとともに、両端が円弧状をなす外周縁部２０４が形成される。本体部２０１の略中央には、平坦部２０２が形成される。平坦部２０２の両端は、例えば、円弧状をなし、平坦部２０２の主要な面（主面）は、外周縁部２０４の主面が位置する平面と略同一の平面上に位置する。
【００２４】
平坦部２０２と外周縁部２０４との間に、長手方向において対向する辺部（第１の辺部および第２の辺部）を有し、略トラック形状をなすエッジ２０３が形成される。後述する振動板を取り囲むエッジ２０３は、パッシブラジエータ５０の振動の負方向（図面に向かって奥側）に凸するロール形状と、パッシブラジエータ５０の振動の正方向（図面に向かって手前側）に凸するロール形状とを有する。以下の説明では、前者のロール形状を凹状ロール部と、後者のロール形状を凸状ロール部と適宜、称する。なお、ロール形状とは、例えば、断面の形状が半円または略半円の形状を意味する。
【００２５】
例えば、エッジ２０３の両端における円弧状の箇所から長手方向の一部にかけて、凹状ロール部が連続的に形成される。これにより、エッジ２０３の両端付近は、平坦部２０２の主面および外周縁部２０４の主面に対して窪んだ形状となり、平坦部２０２の主面の周囲に側面が生じる。図面に向かってエッジ２０３の左側付近には、例えば、凹状ロール部２０８ａが形成され、図面に向かってエッジ２０３の右側付近には、例えば、凹状ロール部２０８ｃが形成される。
【００２６】
少なくともエッジ２０３の一の長手方向において、ロール形状が切り替わる切替形状が形成される。例えば、エッジ２０３の一の長手方向において、凹状ロール部２０８ａから凸状ロール部２０８ｂにロール形状が徐々に切り替わる。換言すれば、凸状ロール部２０８ｂの凸量が徐々に大きくなり、エッジ２０３の長手方向の中央付近で凸状ロール部２０８ｂの凸量が最も大きくなる。
【００２７】
エッジ２０３の長手方向の中央付近から端部にかけて凸状ロール部２０８ｂから凹状ロール部２０８ｃにロール形状が徐々に切り替わる。換言すれば、凸状ロール部２０８ｂの凸量が徐々に小さくなり、エッジ２０３の長手方向の端部付近で凸状ロール部２０８ｂの凸量が０または略０になる。
【００２８】
なお、エッジ２０３の一方向（例えば、時計回り方向）において、ロール形状が凹状ロール部から凸状ロール部に切り替わる切替形状を、第１の切替形状と称し、ロール形状が凸状ロール部から凹状ロール部に切り替わる切替形状を、第２の切替形状と称する。本実施形態では、例えば、第１の切替形状と第２の切替形状とが連続的に形成される。これにより、エッジ２０３の一部（例えば、長手方向における中央付近）が隆起する形状を得ることができる。
【００２９】
本実施形態では、エッジ２０３の他の長手方向において、上述した第１の切替形状および第２の切替形状が形成された位置と対向する位置に、第１の切替形状および第２の切替形状がそれぞれ形成される。エッジ２０３の他の長手方向において、凹状ロール部２０８ｃから凸状ロール部２０８ｄにロール形状が徐々に切り替わる。換言すれば、凸状ロール部２０８ｄの凸量が徐々に大きくなり、エッジ２０３の他の長手方向の中央付近で凸状ロール部２０８ｄの凸量が最も大きくなる。
【００３０】
エッジ２０３の長手方向の中央付近から端部にかけて凸状ロール部２０８ｄから凹状ロール部２０８ａにロール形状が徐々に切り替わる。換言すれば、凸状ロール部２０８ｄの凸量が徐々に小さくなり、エッジ２０３の長手方向の端部付近で凸状ロール部２０８ｄの凸量が０または略０になる。
【００３１】
凸状ロール部２０８ｂと平坦部２０２の側面との間および凸状ロール部２０８ｄと平坦部２０２の側面との間には、溝部２０５および溝部２０６がそれぞれ形成されている。
【００３２】
図６は、第１の実施形態におけるパッシブラジエータの構成の一例を示す正面図である。平坦部２０２の裏面に、平坦部２０２と略同様の形状を有する振動板２１０が接着等により取り付けられる。以下の説明において、平坦部２０２および平坦部２０２の裏面に取り付けられた振動板２１０を、単に振動板と総称する場合がある。振動板２１０の裏面に対して錘２１１が取り付けられる。錘２１１は、例えば板状とされ、プラスチックや金属などから構成される。なお、図６では、振動板２１０および錘２１１が２点鎖線により示されている。
【００３３】
外周縁部２０４の裏面には、フレーム２１２が接着等により取り付けられる。フレーム２１２は、例えば、金属からなり、周囲の４隅に取付機構２１２ａ，２１２ｂ，２１２ｃおよび２１２ｄを有する。各取付機構には孔部が形成されており、各孔部にビス等を貫通させることにより、パッシブラジエータ５０がキャビネット１０に取り付けられる。
【００３４】
図７〜図１３の各図を参照して、パッシブラジエータ５０のエッジの構造の一例について詳細に説明する。図７は、パッシブラジエータ５０の本体部２０１に対する切断位置の一例を説明するための図である。
【００３５】
エッジ２０３において、ロール形状が凹状ロール部２０８ａから凸状ロール部２０８ｂに切り替わる位置およびロール形状が凸状ロール部２０８ｄから凹状ロール部２０８ａに切り替わる位置を通るように切断位置Ｐが設定される。切断位置Ｐが切断線Ａ−Ａにより示されている。
【００３６】
エッジ２０３において、凸状ロール部２０８ｂの凸量が最大の位置（適宜、頂上部と称する）および凸状ロール部２０８ｂの頂上部を通るように切断位置Ｑが設定される。切断位置Ｑが切断線Ｂ−Ｂにより示されている。
【００３７】
エッジ２０３において、ロール形状が凸状ロール部２０８ｂから凹状ロール部２０８ｃに切り替わる位置およびロール形状が凹状ロール部２０８ｃから凸状ロール部２０８ｄに切り替わる位置を通るように切断位置Ｒが設定される。切断位置Ｒが切断線Ｃ−Ｃにより示されている。
【００３８】
図８は、Ａ−Ａにおける断面構造を説明するための断面図であり、図９は、Ａ−Ａにおける断面構造を説明するための斜視図である。図１０は、Ｂ−Ｂにおける断面構造を説明するための断面図であり、図１１は、Ｂ−Ｂにおける断面構造を説明するための斜視図である。図１２は、Ｃ−Ｃにおける断面構造を説明するための断面図であり、図１３は、Ｃ−Ｃにおける断面構造を説明するための斜視図である。
【００３９】
なお、以下に説明において、凹状ロール部２０８ａの断面における一方（始点）から他方（終点）までの長さを、凹状ロール部２０８ａの長さと適宜、略称する。凸状ロール部２０８ｂ、凹状ロール部２０８ｃおよび凸状ロール部２０８ｄについても同様である。
【００４０】
図８および図９に示すように、切断位置Ｐにおいては、凹状ロール部２０８ａの断面における径の長さと凸状ロール部２０８ｂの断面における径の長さとが略等しい。すなわち、凹状ロール部２０８ａの長さと、凸状ロール部２０８ｂの長さとが略等しい。また、対向する位置において、凹状ロール部２０８ａの断面における径の長さと凸状ロール部２０８ｄの断面における径の長さとが略等しい。すなわち、凹状ロール部２０８ａの長さと、凸状ロール部２０８ｄの長さとが略等しい。
【００４１】
図１０および図１１に示すように、切断位置Ｑにおいては、凹状ロール部２０８ａの断面における径の長さが略０（完全に０であることを含む）になり、凹状ロール部２０８ａの長さが略０になる。凸状ロール部２０８ｂの断面における径の長さがエッジ２０３の幅と略等しくなり、凸状ロール部２０８ｂの長さが最大となる。また、対向する位置において、凹状ロール部２０８ｃの長さが略０になり、凸状ロール部２０８ｄの断面における径の長さがエッジ２０３の幅と略等しくなり、凸状ロール部２０８ｄの長さが最大となる。
【００４２】
図１２および図１３に示すように、切断位置Ｒにおいては、凹状ロール部２０８ｃの断面における径の長さが凸状ロール部２０８ｂの長さより大きい。すなわち、凹状ロール部２０８ｃの長さが凸状ロール部２０８ｂの長さより大きい。また、凹状ロール部２０８ｃの断面における径の長さが凸状ロール部２０８ｄの長さより大きい。すなわち、凹状ロール部２０８ｃの長さが凸状ロール部２０８ｄの長さより大きい。
【００４３】
以上のように、本実施形態では、少なくともエッジの一部（例えば、エッジの長手方向の中央付近）が、連続的な第１の切替形状と第２の切替形状とを有する。例えば、第１の切替形状と第２の切替形状とが凸状ロール部の頂上部を境にして形成される。なお、凸状ロール部の頂上部が一定範囲、連続して形成され、この箇所を境にして第１の切替形状と第２の切替形状とが形成されてもよい。すなわち、第１の切替形状と第２の切替形状とが連続的に形成されることには、第１の切替形状と第２の切替形状とが連続して形成されることのほか、第１の切替形状と第２の切替形状とが所定形状を境にして近接して形成されることを含む。
【００４４】
エッジの少なくとも一部に凹状ロール部および凸状ロール部が切り替わる切替形状を形成することにより、錘を有する振動板を支える力を均一または略均一とすることができる。正方向および負方向への振動板の振動のしやすさを均一化する（振幅の線形性を向上させる）ことができ、振動板の振動の動作を安定させることができる。
【００４５】
パッシブラジエータの本体部の形状が、例えば、トラック形状である場合には、エッジの長手方向の箇所に、第１の切替形状および第２の切替形状が形成されることが好ましい。パッシブラジエータの本体部の形状が、例えば、トラック形状である場合には、長手方向の剛性（曲げ強度）が低いが、長手方向において凹状ロール部および凸状ロール部が切り替わる形状であるため、剛性は長手方向の曲げに対して強くなる。このため、不要な振動を抑制することができる。もちろん、エッジの短手方向（円弧状の箇所）に、第１の切替形状および第２の切替形状が形成されてもよい。
【００４６】
第１の切替形状および第２の切替形状を形成することにより、エッジの一部が隆起した形状を形成することができる。エッジの一部が隆起した箇所、例えば、凸状ロールの頂上部は、エッジの長手方向の中央付近における対向した位置にそれぞれ形成されることが好ましい。これにより、振動板が振動した際に錘の重みにより振動板が斜め方向に振動するローリングを防止できる。なお、中央付近とは、中央または中央から所定の範囲ずれた箇所を意味し、パッシブラジエータの大きさに応じて適切に設定される。
【００４７】
想定技術（従来技術ではない）として、エッジの長手方向の大部分（例えば、半分以上）に凸状ロール部を形成することにより長手方向の剛性を高めローリングを防止することや、ロール形状の切り替わりをなだらかにせず極端（例えば、急峻）に切り替えることが考えられる。しかしながら、この場合には剛性は高まるものの、振動板の振動そのものが抑制されて、音質が低下するおそれがある。本実施形態では、例えば、エッジの長手方向に第１の切替形状および第２の切替形状を形成することにより、凸状ロール部の大きさを適切に設定することができる。凸状ロール部の大きさを適切に設定できるため、振動板の振動を不必要に阻害することなく、ローリングを防止することができる。
【００４８】
本実施形態では、凸状ロール部２０８ｂと平坦部２０２の側面との間に溝部２０５が形成されている。これにより、凸状ロール部２０８ｂの断面におけるＲ（曲線箇所）を確保することができ、振動板の振幅を大きくとることできる。凸状ロール部２０８ｄと平坦部２０２の側面との間に溝部２０６が形成されている。これにより、凸状ロール部２０８ｄの断面におけるＲ（曲線箇所）を確保することができ、振動板の振幅を大きくとることできる。
【００４９】
一般的なパッシブラジエータのエッジの形状のみを変更すればよいため、コストの増加を招くことがない。また、一般的なパッシブラジエータと同等の生産性で、パッシブラジエータの性能を向上させることができる。また、パッシブラジエータの本体部の材質、弾性率等の性能について、厳密に検討する必要がない。また、予期せぬ異動振動を抑制し、製品の薄型化を実現できる。
【００５０】
＜２．第２の実施形態＞
次に、第２の実施形態について説明する。第２の実施形態は、不要な振動（特に、微少な振動）を防止するために、パッシブラジエータの本体部にリブを形成したものである。なお、第２の実施形態において、第１の実施形態と同一の構成には同一の参照符号を付し、重複した説明を省略する。
【００５１】
図１４は、第２の実施形態におけるパッシブラジエータの本体部の構成の一例を示す。図１５および図１６は、後述のリブ３０２およびリブ３０５を通る切断線Ｄ−Ｄにより切断したときの断面形状等を説明するための断面図および斜視図をそれぞれ示す。
【００５２】
本体部３００には、例えば、６個のリブ（リブ３０１，リブ３０２、リブ３０３，リブ３０４，リブ３０５およびリブ３０６）が形成される。各リブは、例えば、本体部３００と一体的に形成されるが、リブが別個に形成され本体部３００に接着等された構成でもよい。
【００５３】
リブ３０１，３０２および３０３は、本体部３００の一の長手方向に形成される。リブ３０４，３０５および３０６は、本体部３００の他の長手方向に形成される。図１５および図１６に示すように、リブ３０１は、例えば、長手方向の中央付近において、外周縁部２０４の内壁３２０と凸状ロール部２０８ｂの外周面３２１とにそれぞれ当接するようにして形成される。リブ３０４は、リブ３０１と略対向する位置において同様に形成される。リブ３０４は、例えば、長手方向の中央付近において、外周縁部２０４の内壁３２０と凸状ロール部２０８ｄの外周面３２２とにそれぞれ当接するようにして形成される。
【００５４】
リブ３０２およびリブ３０３は、溝部２０５を架け渡すようにして形成される。リブ３０２およびリブ３０３は、凸状ロール部２０８ｂの内周面３２５と平坦部２０２の側面に当接するようにして形成される。リブ３０５は、リブ３０２に略対向する位置に形成される。リブ３０６は、リブ３０３に略対向する位置に形成される。リブ３０５およびリブ３０６は、凸状ロール部２０８ｄの内周面３２６と平坦部２０２の側面とに当接するようにして形成される。
【００５５】
リブ３０１およびリブ３０４により錘を有する振動板を支えることが可能となり、例えば、錘の重みにより振動板が斜め方向に傾斜しローリングが生じることを防止できる。また、各リブを設けることにより、例えば、微少な不要振動に伴うパッシブラジエータの変形や斜め方向への振動を防止することができ、低域特性における歪みを防止または減少させることができる。
【００５６】
なお、各リブが形成される位置は、上述した例に限定されることはない。振動板の振幅を確保しつつ、不要な振動を抑制できるのであれば、各リブが形成される位置や個数、大きさは、適宜、変更することができる。
【００５７】
第２の実施形態におけるパッシブラジエータおよび一般的なパッシブラジエータに対して同条件による測定を行った。測定は、同一の容積のキャビネットに同一のスピーカユニットと略同一の大きさのパッシブラジエータを取り付け、入力を一定にして周波数毎のパッシブラジエータの挙動を観察した。
【００５８】
一般的なパッシブラジエータでは、例えば、７０Ｈｚ（ヘルツ）付近をピークにパッシブラジエータの異動な振動状態が見られ異音や音の歪みが生じた。このため、この周波数付近では入力を低下させる必要が生じた。また、測定に使用したパッシブラジエータを使用して商品（スピーカシステム）の小型化、薄型化を図る場合に、パッシブラジエータの回転運動によってパッシブラジエータが周囲の構造物に衝突する範囲が広くなるため入力を低下させる必要が生じるおそれがある。
【００５９】
図１７Ａ〜図１７Ｃは、第２の実施形態におけるパッシブラジエータの動作を模式的に示したものである。図１７Ａは、パッシブラジエータが前方に対して振動した状態を示し、図１７Ｂは、パッシブラジエータが中立位置にある状態を示し、図１７Ｃは、パッシブラジエータが後方（キャビネットの内部側）に対して振動した状態を示している。図示するように、いずれの周波数においてもパッシブラジエータの回転運動が見られず、ローリング現象の発生を防止できた。このため、耐入力の向上、音の歪みの発生の防止、薄型化による製品の小型化への貢献を確認することができた。なお、図示は省略しているものの、第１の実施形態によるパッシブラジエータについても同様の効果が得られる。
【００６０】
＜３．変形例＞
以上、本開示の複数の実施形態について具体的に説明したが、本開示は、上述した複数の実施形態に限定されるものではなく、本開示の技術的思想に基づく各種の変形が可能である。
【００６１】
上述した実施形態では、１対の第１の切替形状および第２の切替形状がエッジの一の長手方向に形成される構造について説明した。しかしながら、これに限定されることはなく、対となる第１の切替形状および第２の切替形状が、複数、エッジの一の長手方向に形成される構造でもよい。
【００６２】
上述した実施形態では、エッジの形状が略トラック状（楕円形状）であるものとして説明したが、これに限定されることはない。エッジの形状が円形、矩形等の場合にも本開示を適用することができる。また、エッジに形成される凹部および凸部は、ロール形状と異なる形状でもよい。
【００６３】
上述した実施形態では、パッシブラジエータのエッジ構造について説明したが、本開示は、スピーカの振動板のエッジ構造にも適用できる。
【００６４】
上述した実施形態における寸法、材質、製造方法等は一例であり、これに限定されることはない。例えば、パッシブラジエータの本体部とフレームとが２色成形により成形されたプラスチックのものでもよい。振動板は、プラスチックではなく金属により構成され、錘と一体的に形成されたものであってもよい。
【００６５】
なお、実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。
【００６６】
本開示は、以下の構成もとることができる。
（１）
振動板を取り囲むエッジは、前記振動板の振動の一方向に対して凹となる凹部と、前記一方向に対して凸となる凸部とを有し、
少なくとも前記エッジの一部は、連続的な第１の切替形状と第２の切替形状とを有し、
前記第１の切替形状は、前記凹部の断面形状の長さが徐々に小さくなるとともに前記凸部の断面形状の長さが徐々に大きくなるようにして、前記凹部と前記凸部とが切り替わる形状であり、
前記第２の切替形状は、前記凹部の断面形状の長さが徐々に大きくなるとともに前記凸部の断面形状の長さが徐々に小さくなるようにして、前記凹部と前記凸部とが切り替わる形状である
振動板のエッジ構造。
（２）
前記凹部および前記凸部は、それぞれロール形状をなす
（１）に記載の振動板のエッジ構造。
（３）
前記エッジは、対向する第１の辺部と第２の辺部とを有し、
少なくとも、前記第１の辺部は、前記第１の切替形状および前記第２の切替形状を有する
（１）または（２）に記載の振動板のエッジ構造。
（４）
前記第１の辺部の中央付近において前記凸部の断面形状の長さが最大となるようにして、前記第１の辺部は、前記第１の切替形状および前記第２の切替形状を有する
（３）に記載の振動板のエッジ構造。
（５）
前記第２の辺部は、前記第１の切替形状が形成された位置と略対向する位置に第１の切替形状を有し、前記第２の切替形状が形成された位置と略対向する位置に第２の切替形状を有する
（３）または（４）に記載の振動板のエッジ構造。
（６）
前記エッジは、略トラック形状をなす
（１）乃至（５）のいずれかに記載の振動板のエッジ構造。
（７）
前記凸部の表面に当接するリブが設けられる
（１）乃至（６）のいずれかに記載の振動板のエッジ構造。
（８）
前記リブは、前記第１の切替形状と前記第２の切替形状の境の近傍において前記凸部および前記エッジの外周縁部に当接する
（７）に記載の振動板のエッジ構造。
（９）
前記凸部と前記本体部の中央付近との間に溝部を有し、
前記リブは、溝部を架け渡すようにして形成された形状を有する
（７）または（８）に記載の振動板のエッジ構造。
【符号の説明】
【００６７】
１・・・スピーカシステム
５０，６０・・・パッシブラジエータ
２０１・・・本体部
２０３・・・エッジ
２０４・・・外周縁部
２０８ａ，２０８ｃ・・・凹状ロール部
２０８ｂ，２０８ｄ・・・凸状ロール部
２０５，２０６・・・溝部
３０１〜３０６・・・リブ
【図１】
0006544243.tif 000002
【図２】
0006544243.tif 000003
【図３】
0006544243.tif 000004
【図４】
0006544243.tif 000005
【図５】
0006544243.tif 000006
【図６】
0006544243.tif 000007
【図７】
0006544243.tif 000008
【図８】
0006544243.tif 000009
【図９】
0006544243.tif 000010
【図１０】
0006544243.tif 000011
【図１１】
0006544243.tif 000012
【図１２】
0006544243.tif 000013
【図１３】
0006544243.tif 000014
【図１４】
0006544243.tif 000015
【図１５】
0006544243.tif 000016
【図１６】
0006544243.tif 000017
【図１７】
0006544243.tif 000018